(57)【要約】【課題】    本発明の目的は、直線のみならず、曲面を有した載置部位でも立設することができる目印体及び該目印体を備えた建設機械を提供するものである。【解決手段】    目印体２は、略四角形の水平底部２１と、この水平底部２１より上方に延びる中空体２２と、水平底部２１の四隅に設けた磁石４とを備えた目印体２であって、磁石４は、水平底部２１を底面から見て、右前磁石４１、左前磁石４２、右後磁石４３、左後磁石４４であり、目印体２の水平底部２１が水平な第１の磁性体Ｘに載置された時、磁石４により水平底部２１は第１の磁性体Ｘに沿って平行に保持され、目印体２の水平底部２１が曲面を有する第２の磁性体Ｙに載置された時、磁石４により水平底部２１は第２の磁性体Ｙの前記曲面に沿って保持されるため、水平な第１の磁性体Ｘのみならず、曲面を有する第２の磁性体Ｙにも、風に飛ばされず磁石４を介して、立設状態を保持することができる。【選択図】図１
2020045670.tif 000002
【特許請求の範囲】
【請求項１】
略四角形の水平底部と、
この水平底部より上方に延びる中空体と、
前記水平底部の四隅に設けた磁石とを備えた目印体であって、
前記磁石は、前記水平底部を底面から見て、右前磁石、左前磁石、右後磁石、左後磁石であり、
前記目印体の前記水平底部が水平な第１の磁性体に載置された時、前記磁石により前記水平底部は前記第１の磁性体に沿って平行に保持され、
前記目印体の前記水平底部が曲面を有する第２の磁性体に載置された時、前記磁石により前記水平底部は変形して前記第２の磁性体の前記曲面に保持される
ことを特徴とする目印体。
【請求項２】
キャタピラを有する建設機械の前記キャタピラの四隅にそれぞれ目印体の水平底部に設けた磁石を介して前記目印体を複数立設するものであり、
前記キャタピラの四隅は、前記重機を背面から見て、右前隅部、左前隅部、右後隅部、左後隅部であり、
複数立設する前記目印体は、前記右前隅部に吸着する右前目印体、前記左前隅部に吸着する左前目印体、前記右後隅部に吸着する右後目印体、前記左後隅部に吸着する左後目印体である
ことを特徴とする建設機械。
【請求項３】
外表面に磁性体を有する建設機械であって、
前記磁性体の前記外表面に目印体の水平底部に設けた磁石を介して前記目印体を付着させる
ことを特徴とする建設機械。
【発明の詳細な説明】
【技術分野】
【０００１】
本発明は、目印体及び建設機械に係り、特に、直線のみならず、曲面を有した載置部位でも立設することができる目印体及び該目印体を備えた建設機械に関する。
【背景技術】
【０００２】
安全面の観点から、工事現場において、キャタピラを備えた建設機械の前記キャタピラの四隅近傍の地面にそれぞれ目印体を立設することが考えられる。
目印体は、例えば、道路や工事現場などの規制や区分けを目的として置かれる高さ約７０ｃｍ前後の円錐形の保安器具で、三角コーン、ロードコーンと称されるものである。
【発明の概要】
【発明が解決しようとする課題】
【０００３】
しかしながら、風等により目印体が倒れてしまう場合があり、この場合、視認性による安全確認がしづらいという問題点が生じた。
【０００４】
本発明の目的は、上記の問題点を考慮してなされた目印体及び建設機械を提供することにある。
【課題を解決するための手段】
【０００５】
請求項１記載の目印体は、略四角形の水平底部と、この水平底部より上方に延びる中空体と、前記水平底部の四隅に設けた磁石とを備えた目印体であって、前記磁石は、前記水平底部を底面から見て、右前磁石、左前磁石、右後磁石、左後磁石であり、前記目印体の前記水平底部が水平な第１の磁性体に載置された時、前記磁石により前記水平底部は前記第１の磁性体に沿って平行に保持され、前記目印体の前記水平底部が曲面を有する第２の磁性体に載置された時、前記磁石により前記水平底部は変形して前記第２の磁性体の前記曲面に保持されるものである。
【０００６】
また、請求項２記載の建設機械は、キャタピラを有する建設機械の前記キャタピラの四隅にそれぞれ目印体の水平底部に設けた磁石を介して前記目印体を複数立設するものであり、前記キャタピラの四隅は、前記重機を背面から見て、右前隅部、左前隅部、右後隅部、左後隅部であり、複数立設する前記目印体は、前記右前隅部に吸着する右前目印体、前記左前隅部に吸着する左前目印体、前記右後隅部に吸着する右後目印体、前記左後隅部に吸着する左後目印体である。
【０００７】
また、請求項３記載の建設機械は、外表面に磁性体を有する建設機械であって、前記磁性体の前記外表面に目印体の水平底部に設けた磁石を介して前記目印体を付着させるものである。
【発明の効果】
【０００８】
請求項１記載の目印体によれば、略四角形の水平底部と、この水平底部より上方に延びる中空体と、前記水平底部の四隅に設けた磁石とを備えた目印体であって、前記磁石は、前記水平底部を底面から見て、右前磁石、左前磁石、右後磁石、左後磁石であり、前記目印体の前記水平底部が水平な第１の磁性体に載置された時、前記磁石により前記水平底部は前記第１の磁性体に沿って平行に保持され、前記目印体の前記水平底部が曲面を有する第２の磁性体に載置された時、前記磁石により前記水平底部は変形して前記第２の磁性体の前記曲面に保持されるため、水平な第１の磁性体のみならず、曲面を有する第２の磁性体にも、風に飛ばされず磁石を介して、立設状態を保持することができる。
【０００９】
また、請求項２記載の建設機械によれば、キャタピラの四隅に右前目印体、左前目印体、右後目印体、左後目印体が磁石を介して立設するため、場所も取らないで設置できると共に、風に飛ばされず立設状態を保持でき、しかも、建設機械を運転する際は、キャタピラの四隅に取り付けた四個の目印体を回収しながら、建設機械のキャタピラの四隅付近の安全確認をも図ることができる。
【００１０】
また、請求項３記載の建設機械によれば、磁性体の前記外表面に目印体の水平底部に設けた磁石を介して前記目印体を付着させるものであるため、場所も取らないで設置できると共に、風に飛ばされず付着状態を保持でき、しかも、建設機械を運転する際は、外表面に取り付けた目印体を回収しながら、建設機械の安全確認をも図ることができる。
【図面の簡単な説明】
【００１１】
【図１】図１は、本発明の一実施例の目印体をやや斜め方向から撮影した写真である。
【図２】図２は、図１の目印体を底面斜め方向から撮影した写真である。
【図３】図３は、図１の目印体を底面側から撮影した写真である。
【図４】図４は、図１の目印体を水平な第１の磁性体に載置した状態を正面から撮影した写真である。
【図５】図５は、図１の目印体を曲面を有する第２の磁性体に載置した状態を正面から撮影した写真である。
【図６】図６は、図１の目印体が保持された建設機械を背面側から撮影した写真である。
【図７】図７は、図６の建設機械と異なる建設機械に図１の目印体が保持された状態を撮影した写真である。
【発明を実施するための形態】
【００１２】
本発明の一実施例の目印体を図１乃至図５を参照して説明する。
図１に示す２は目印体で、目印体２は、例えば、道路や工事現場などの規制や区分けを目的として置かれる円錐形の保安器具で、三角コーン、ロードコーンと称されるものである。
目印体２は、外形が略四角形の水平底部２１と、この水平底部２１より上方に延びる中空体２２と、水平底部２１の四隅に設けた磁石４を備えている。３は、目印体２に取り付けられている反射テープである。
【００１３】
磁石４は、水平底部２１を底面から見て、図３に示すように、右前磁石４１、左前磁石４２、右後磁石４３、左後磁石４４である。
そして、目印体２の水平底部２１が水平な第１の磁性体Ｘに載置された時、磁石４により水平底部２１は第１の磁性体Ｘに沿って平行に保持される（図４参照）。
また、目印体２の水平底部２１が曲面を有する第２の磁性体Ｙに載置された時、磁石４により水平底部２１は水平底部２１は変形して第２の磁性体Ｙの前記曲面に保持される（図５参照）。
【００１４】
従って、上述した目印体２によれば、略四角形の水平底部２１と、この水平底部２１より上方に延びる中空体２２と、水平底部２１の四隅に設けた磁石４とを備えた目印体２であって、磁石４は、水平底部２１を底面から見て、右前磁石４１、左前磁石４２、右後磁石４３、左後磁石４４であり、目印体２の水平底部２１が水平な第１の磁性体Ｘに載置された時、磁石４により水平底部２１は第１の磁性体Ｘに沿って平行に保持され、目印体２の水平底部２１が曲面を有する第２の磁性体Ｙに載置された時、磁石４により水平底部２１は第２の磁性体Ｙの前記曲面に沿って保持されるため、水平な第１の磁性体Ｘのみならず、曲面を有する第２の磁性体Ｙにも、風に飛ばされず磁石４を介して、立設状態を保持することができる。
【００１５】
次の実施例は、上記した目印体を備えた建設機械について、図６及び図７を参照して説明する。
図６に示す１はキャタピラ１１を有する建設機械で、建設機械１は、例えば、バックホーである。                            
【００１６】
本発明は、図６に示すように、キャタピラ１１を備えた建設機械１のキャタピラ１１の四隅にそれぞれ目印体２の水平底部２１に設けた磁石４を介して目印体２を複数立設するものである。
水平底部２１の四隅部、即ち、右前目印体２Ａ、左前隅部１１Ｂに吸着する左前目印体２Ｂ、右後隅部（図示せず）に吸着する右後目印体（図示せず）、左後隅部１１Ｄに吸着する左後目印体２Ｄである。
【００１７】
キャタピラ１１の四隅は、建設機械１を背面から見て、右前隅部１１Ａ、左前隅部１１Ｂ、右後隅部（図示せず）、左後隅部１１Ｄである。
そして、複数立設する目印体２は、右前隅部１１Ａに吸着する右前目印体２Ａ、左前隅部１１Ｂに吸着する左前目印体２Ｂ、右後隅部（図示せず）に吸着する右後目印体（図示せず）、左後隅部１１Ｄに吸着する左後目印体２Ｄである。
【００１８】
従って、上述した建設機械１によれば、キャタピラ１１の四隅に右前目印体２Ａ、左前目印体２Ｂ、右後目印体（図示せず）、左後目印体２Ｄが磁石４を介して立設するため、場所も取らないで設置できると共に、風に飛ばされず立設状態を保持でき、しかも、建設機械１を運転する際は、キャタピラ１１の四隅に取り付けた四個の目印体２、２、２、２を回収しながら、重機１のキャタピラ１１の四隅付近の安全確認をも図ることができる。
また、目印体２に反射テープ３が取り付けられているため、視認性を高めて安全性を確保することができる。
【００１９】
本実施例においては、建設機械１をバックホーとして説明したが、本願発明にあっては、これに限らず、例えば、図示しないドリルジャンボでも良い。
また、上述した実施例においては、キャタピラ１１を有する建設機械１について説明したが、本願発明にあっては、これに限らず、例えば、図７に示すように、外表面３’、４’に磁性体を有する建設機械１であって、磁性体の外表面３’、４’に目印体２の水平底部２１に設けた磁石４を介して目印体２を付着させるようにしても良い。
【００２０】
この図７記載の外表面３、４に磁性体を有する建設機械１にあっても、磁性体の外表面３’、４’に三角コーン２、２の水平底部２１に設けた磁石４を介して目印体２を付着させるものであるため、場所も取らないで設置できると共に、風に飛ばされず付着状態を保持でき、しかも、建設機械１を運転する際は、外表面３’、４’に取り付けた目印体２、２を回収しながら、建設機械１の安全確認をも図ることができる。
【符号の説明】
【００２１】
２      目印体
２１    水平底部
２２    中空体
２Ａ    右前目印体
２Ｂ    左前目印体
２Ｄ    左後目印体
４      磁石
１１    キャタピラ
１１Ａ  右前隅部
１１Ｂ  左前隅部
１１Ｄ  左後隅部
４１    右前磁石
４２    左前磁石
４３    右後磁石
４４    左後磁石
Ｘ      第１の磁性体
Ｙ      第２の磁性体
【図１】
2020045670.tif 000003
【図２】
2020045670.tif 000004
【図３】
2020045670.tif 000005
【図４】
2020045670.tif 000006
【図５】
2020045670.tif 000007
【図６】
2020045670.tif 000008
【図７】
2020045670.tif 000009